(57)【要約】【課題】ユーザーが録画する毎に録画時間の長さを設定することを不要にすると共に、常に複数の放送番組を同一画質で録画することを可能にする。【解決手段】情報記録媒体５を複数の記録領域に分けて管理し、各記録領域の位置と容量を記載した領域管理テーブル７を作成し、領域管理テーブル７に記載された記録領域の1つをリモコン２で選択し、選択した記録領域の領域管理テーブル７に記載された開始位置７２から放送信号を記録し、記録領域の領域管理テーブル７に記載された容量７３のデータ量を記録したとき記録を完了する。【選択図】図１
2005223484.tif 000002
【特許請求の範囲】
【請求項１】
放送信号を情報記録媒体に記録する記録装置であって、
前記情報記録媒体を複数の記録領域に分けて管理し、各前記記録領域の位置と容量を記載した領域管理手段と、
前記領域管理手段に記載された前記記録領域のうち１つを選択する選択手段と、
前記選択手段により選択した記録領域の前記領域管理手段に記載された前記位置へ前記放送信号を記録する記録手段とを備え、
前記情報記録媒体の記録領域における前記領域管理手段に記載された前記容量分の放送信号を記録したとき、記録を完了することを特徴とする記録装置。
【請求項２】
領域管理手段は、放送信号を圧縮する圧縮レートも記載したことを特徴とする請求項１記載の記録装置。
【請求項３】
領域管理手段は、全ての記録領域の容量を同一にしたことを特徴とする請求項１記載の記録装置。
【請求項４】
領域管理手段は、全ての記録領域の容量と圧縮レートを同一にしたことを特徴とする請求項１記載の記録装置。
【請求項５】
領域管理手段は、各記録領域が記録済みか否かを示す情報が記載され、選択手段が記録済みの記録領域を選択したときには、記録手段は上書きすることにより、記録していたデータの消去も同時に行うことを特徴とする請求項１または２または３または４記載の記録装置。
【請求項６】
放送信号を情報記録媒体に記録する記録方法であって、
前記情報記録媒体を複数の記録領域に分けて管理し、各前記記録領域の位置と容量を記載した領域管理テーブルを作成するステップと、
前記領域管理テーブルに記載された前記記録領域の1つを選択するステップと、
選択した前記記録領域の前記領域管理テーブルに記載された前記位置へ前記放送信号を記録するステップと、
前記記録領域の前記領域管理テーブルに記載された前記容量分の前記放送信号を記録したとき記録を完了するステップと備えたことを特徴とする記録方法。
【請求項７】
領域管理テーブルに、放送信号を圧縮する圧縮レートも記載したことを特徴とする請求項６記載の記録方法。
【請求項８】
領域管理テーブルは、全ての前記記録領域の容量を同一にしたことを特徴とする請求項６記載の記録方法。
【請求項９】
領域管理テーブルは、全ての前記記録領域の容量と圧縮レートを同一にしたことを特徴とする請求項６記載の記録方法。
【請求項１０】
領域管理テーブルは、各前記記録領域が記録済みか否かを示す情報が記載され、記録済みの前記記録領域を選択したときには、選択された前記記録領域へ上書きすることにより、記録していたデータの消去も同時に行うことを特徴とする請求項６または７または８または９記載の記録方法。
【発明の詳細な説明】
【技術分野】
【０００１】
本発明は、簡単な操作で、複数の放送番組を情報記録媒体へ記録する記録装置と記録方法に関するものである。
【背景技術】
【０００２】
ユーザーは、放送番組をビデオテープに録画する場合、ビデオ録画装置にて、番組の放送チャネルを選択してから、録画ボタンを押して録画を開始する。そして録画を終了するときに終了ボタンを押す。
【０００３】
非特許文献１で提案されている方法は、録画開始してから録画する時間長を設定することを可能にすることにより、無駄な録画を防止している。録画中に録画ボタンを押す度に、３０分後、６０分後、９０分後、１２０分後、時間長設定なしの選択ができる。選択した時間が経過した後に自動的に録画を終了するものである。
【０００４】
また、放送番組を録画予約する機能も開発されており、不在の時にも録画できることや、録画忘れを防止することが実現されている。録画する開始日時と終了日時と放送チャンネルの情報をビデオ録画装置に設定しておいて、ビデオ録画装置が設定された情報に従って自動的に録画するものである。より便利に録画予約するために、Ｇコード（登録商標）予約やＥＰＧ（Electronic Program Guideの略で、電子番組ガイドのこと）予約といった方法がある。Ｇコード予約は、録画する開始日時と終了日時と放送チャンネルの情報が一意に決めたコードを作成しておいて、そのコードを新聞のテレビ欄などに記載し、そのコードをビデオ録画装置にユーザーが入力することによって録画予約を設定する方法である。ＥＰＧ予約は、テレビ画面に電子番組表が表示され、リモコン操作で録画したい番組を選択して予約する方法である。
【０００５】
特許文献１で提案されている方法では、ビデオテープの残量が少なくなっても、設定された時間長の録画を行うことを実現している。ビデオテープの残量に対応させて録画する速度を自動的に変えるものである。ビデオテープ残量が少なければ、ビデオテープの回転速度を遅くして単位時間当たりのビデオテープの消費量を減らすことで、長時間の録画を可能にすることにより、録画漏れの無い録画を可能にし、かつ放送番組の予約の操作性を向上させている。
【特許文献１】特公平７−１５６５号公報
【非特許文献１】松下電器産業株式会社製  ＤＶＤビデオレコーダー「ＤＭＲ−Ｅ２００Ｈ」の取扱説明書
【発明の開示】
【発明が解決しようとする課題】
【０００６】
解決しようとする問題点は、録画ボタンで時間長を設定する方法であっても、録画予約の方法であっても、ユーザーが録画する毎の時間長の設定操作を行わなければならない点である。Ｇコード予約やＥＰＧ予約では、ユーザーが番組表から番組を選択することによって、録画時間長の設定操作を行っている。また、複数の番組を録画してテープ残量が少なくなった場合には、時間当たりのテープ使用量を少なくしなければならず、番組の画質や音質が低下してしまう問題点がある。
【０００７】
本発明は上記問題点を鑑み、記録する毎の時間長の設定操作を不要にすると共に、複数の番組を録画しても記録残量を気にすることなく画質や音質の低下を防ぐために、すなわち複数の番組を同一品位かつ簡単操作で記録可能にするために、情報記録媒体上の記録領域を分割管理して、各領域内で記録を終了する情報記録媒体への記録方法および記録装置を提供することを目的とする。
【課題を解決するための手段】
【０００８】
上記課題を解決するために本発明の記録装置および記録方法は、放送信号を情報記録媒体に記録する記録装置であって、前記情報記録媒体を複数の記録領域に分けて管理し、各前記記録領域の位置と容量を記載した領域管理手段と、前記領域管理手段に記載された前記記録領域のうち１つを選択する選択手段と、前記選択手段により選択した記録領域の前記領域管理手段に記載された前記位置へ前記放送信号を記録する記録手段とを備え、前記情報記録媒体の記録領域における前記領域管理手段に記載された前記容量分の放送信号を記録したとき、記録を完了するものである。
【０００９】
これにより、記録する毎の時間長の設定操作を不要にすると共に、複数の番組を録画してもテープ残量を気にすることなく画質や音質の低下を防ぐために、すなわち複数の番組を同一品位かつ簡単操作で記録可能にするために、情報記録媒体上の記録領域を分割管理して、各領域内で記録を終了することを最も主要な特徴とする。
【発明の効果】
【００１０】
本発明の情報記録媒体への記録方法は、情報記録媒体上の記録領域を分割管理して、固定時間長の領域を複数個用意して、各領域へ１つの番組を記録するため、１つの領域の全域に記録をしたとき自動的に録画を終了させることができるので、録画の際、録画時間や録画終了時刻などを設定する必要はなく、操作性を向上することができる。同時に、固定時間長の同一品位の録画を保証することができる。さらに複数の領域作成は一度行っておくだけでよいので、各番組を録画するときはいずれかの領域を指定するだけの簡単操作でよいという利点がある。
【発明を実施するための最良の形態】
【００１１】
本発明の請求項１に記載の発明は、放送信号を情報記録媒体に記録する記録装置であって、前記情報記録媒体を複数の記録領域に分けて管理し、各前記記録領域の位置と容量を記載した領域管理手段と、前記領域管理手段に記載された前記記録領域のうち１つを選択する選択手段と、前記選択手段により選択した記録領域の前記領域管理手段に記載された前記位置へ前記放送信号を記録する記録手段とを備え、前記情報記録媒体の記録領域における前記領域管理手段に記載された前記容量分の放送信号を記録したとき、記録を完了するものであり、これにより、情報記録媒体上の記録領域を分割管理して、各領域内で記録を終了する目的を、管理データテーブルをマイコンで制御するシンプルな構成で実現した。また、ユーザーは、複数の領域の1つを選択する簡単な操作を行うことによって、情報記録媒体上に複数の番組が記録可能な構成で実現した。
【００１２】
請求項２に記載の発明は、領域管理手段は、放送信号を圧縮する圧縮レートも記載したことを特徴とするものである。
【００１３】
請求項３に記載の発明は、領域管理手段は、全ての記録領域の容量を同一にしたことを特徴とするものである。
【００１４】
請求項４に記載の発明は、領域管理手段は、全ての記録領域の容量と圧縮レートを同一にしたことを特徴とするものである。
【００１５】
請求項５に記載の発明は、領域管理手段は、各記録領域が記録済みか否かを示す情報が記載され、選択手段が記録済みの記録領域を選択したときには、記録手段は上書きすることにより、記録していたデータの消去も同時に行うことを特徴とするものである。
【００１６】
請求項６に記載の発明は、放送信号を情報記録媒体に記録する記録方法であって、前記情報記録媒体を複数の記録領域に分けて管理し、各前記記録領域の位置と容量を記載した領域管理テーブルを作成するステップと、前記領域管理テーブルに記載された前記記録領域の1つを選択するステップと、選択した前記記録領域の前記領域管理テーブルに記載された前記位置へ前記放送信号を記録するステップと、前記記録領域の前記領域管理テーブルに記載された前記容量分の前記放送信号を記録したとき記録を完了するステップと備えたものである。
【００１７】
請求項７に記載の発明は、領域管理テーブルに、放送信号を圧縮する圧縮レートも記載したことを特徴とするものである。
【００１８】
請求項８に記載の発明は、領域管理テーブルは、全ての前記記録領域の容量を同一にしたことを特徴とするものである。
【００１９】
請求項９に記載の発明は、領域管理テーブルは、全ての前記記録領域の容量と圧縮レートを同一にしたことを特徴とするものである。
【００２０】
請求項１０に記載の発明は、領域管理テーブルは、各前記記録領域が記録済みか否かを示す情報が記載され、記録済みの前記記録領域を選択したときには、選択された前記記録領域へ上書きすることにより、記録していたデータの消去も同時に行うものである。
【００２１】
以下、本発明の実施の形態について、図面を用いて説明する。
【００２２】
（実施の形態１）
図１は、本発明の記憶装置の一実施の形態のブロック図である。１は本記憶装置を制御する制御手段であるマイクロコンピュータ（以下、マイコンと記す）、２はユーザーがマイコン１へ指示をする遠隔操作装置であるリモコンで、領域管理テーブル７における記録領域のうち任意に記録領域を選択可能な選択手段を備えている。３は放送チャネルを受信するチューナー、４はチューナ３で受信した放送信号を所定の圧縮方式にて圧縮するエンコーダー、５はエンコーダー４で圧縮した圧縮データーを記憶する情報記録媒体で、円盤状記録媒体（ディスク）や半導体メモリやハードディスクやテープなどが考えられ、円盤状記録媒体の場合はＤＶＤ（デジタル多用途ディスク）やコンパクトディスク（ＣＤ）などを想定している。６は情報記録媒体５へエンコーダー４からの圧縮データーを記録する記録手段である記録回路で、本実施の形態では記録回路としたが、回路の他に記録媒体を駆動するような機構系も含む場合があるものとする。７はマイコン１が情報記憶媒体５の記憶領域を管理する領域管理手段である領域管理テーブルである。
【００２３】
領域管理テーブル７は、情報記録媒体５上の各記録領域の番号７１と開始位置７２と容量７３と圧縮レート７４と時間長７５と、その領域に放送が記録されているか否かを示す記録有無マーク７６から構成される。
【００２４】
図２は、情報記録媒体５と領域管理テーブル７の一実施の形態の構成図である。情報記録媒体５は２ＫＢｙｔｅの容量を持つセクタ単位で構成され、４つの記憶領域が形成されている。記録領域の番号７１の１から４は、それぞれ開始位置７２がセクタ０、セクタ０ｘ７０８０００（１６進数。以下０ｘ付きは１６進数表現）、セクタ０ｘＥ１００００、セクタ０ｘ１５１８０００であり、容量７３、圧縮レート７４、時間長７５は全て等しくて、１４４００ＭＢｙｔｅ、８Ｍｂｐｓ、４時間である。また、４つの記憶領域とも記録されていない状態であって、記録有無マーク７６には「無」のマークが設定されている。
【００２５】
なお、本実施の形態では、容量７３と圧縮レート７４と時間長７５は全ての記憶領域で等しくしたが、それぞれ記憶領域ごとに異なる値を領域管理テーブル７に記載してもいい。
【００２６】
このようにユーザーは、放送チャネルの記録に先立って、領域管理テーブル７の各項目に値を設定する。このとき、通常は、メーカーが記録装置の製造時に標準的な値を設定しておいて、ユーザーは好みに応じて値の変更を行う。
【００２７】
次に、以上のように構成された本実施の形態の形態の記録装置の動作について説明する。図３は、本実施の形態の形態の記憶装置の動作を示すフローチャートである。
【００２８】
まず、ユーザーがリモコン２を操作すると、マイコン１は領域管理テーブル７に登録された複数の記録領域の番号７１と記録有無マーク７６をテレビ画面（図示せず）に表示する（Ｓ１００）。そしてユーザーはリモコン２を操作して、記録したい記録領域の番号７１をマイコン１に通知する（Ｓ１０１）。
【００２９】
マイコン１は、選択された記録領域の番号７１で領域管理テーブル７を検索して、設定された圧縮レート７４をエンコーダー４へ設定する。エンコーダー４は受信中の放送チャネルをチューナー３から受けて圧縮する（Ｓ１０２）。
【００３０】
そして、マイコン１は領域管理テーブル７に設定された開始位置７２のセクタアドレスと容量７３を記録回路６へ設定して、記録回路６が情報記録媒体５へ記録を開始する（Ｓ１０３）。
【００３１】
記録回路６は、設定された容量７３のデーター量を記録すると、記録を終了する（Ｓ１０４）。
【００３２】
最後に、マイコン１は記録回路６からの記録終了の通知を受けて、領域管理テーブル７内の選択された記録領域に対応する記録有無マーク７６へ「有」と書き込む（Ｓ１０５）。
【００３３】
ここで、Ｓ１００のステップにて、各記録領域が記録済みか否かを表示しているので、ユーザーは、保存しておきたい記録領域は避けて使用することができる。また、既に記録済みの記録領域を選択すると、Ｓ１０３とＳ１０４のステップにて記録と同時に消去も行えることになるので、あらかじめ記録領域を消去しておく手間を省くことができる。
【００３４】
また、Ｓ１０４のステップは、放送チャンネル自体の時間長には依存しないので、前に録画した放送チャンネルの長さによらず、常に記録領域の容量で設定した所定時間の録画が可能である。情報記録媒体の空き領域を全て使い尽くしてしまうことも防いでいる。
【００３５】
なお、領域管理テーブル７は、記憶装置に内蔵されたフラッシュメモリなどの交換できないメモリに記憶してもよいし、情報記録媒体５が交換可能な場合でも情報記録媒体５に記録しておいてもよい。
【００３６】
以上のように本実施の形態によれば、記録装置の実装形態を採用したので、所定時間長の高画質で高音質な録画を行う保障を、記録領域を選択するという簡単な操作で行える効果がある。
【００３７】
すなわち、本発明の情報記録媒体５への記録方法は、情報記録媒体５上の記録領域を分割管理して、固定時間長の領域を複数個用意して、各領域へ１つの番組を記録するため、１つの領域の全域に記録をしたとき自動的に録画を終了させることができる。よって、例えばユーザーが録画したい番組が２時間であったとしても、録画の際に録画時間や録画終了時刻などを設定せず録画を開始し、固定時間長（本実施の形態では４時間）の記録領域全てに記録を行い停止するようにしたので、録画の際に終了時刻や録画時間の設定を行う必要はなく、操作性を向上することができる。つまり本実施の形態では２時間番組を録画する際、余剰分も含めて４時間分の録画を行うものである。余剰分については、後にユーザーが編集作業を行うことで削除することもでき、記録媒体の残量を確保することもできる。
【００３８】
同時に、固定時間長の同一品位の録画を保証することができる。さらに複数の領域作成は一度行っておくだけでよいので、各番組を録画するときはいずれかの領域を指定するだけの簡単操作でよいという利点がある。
【産業上の利用可能性】
【００３９】
簡単な操作で、放送チャネルの高画質で高音質な録画を実現可能にしたことによって、従来は録画装置という機器の操作が複雑であって、操作できなかった人への用途に適用できる。
【図面の簡単な説明】
【００４０】
【図１】本発明の記録装置の実施の形態を示すブロック図
【図２】同実施の形態における情報記録媒体と領域管理テーブルの構成を示す模式図
【図３】同実施の形態における記録装置の動作を説明するフローチャート
【符号の説明】
【００４１】
１    マイコン
２    リモコン
３    チューナー
４    エンコーダー
５    情報記録媒体
６    記録回路
７    領域管理テーブル
【図１】
2005223484.tif 000003
【図２】
2005223484.tif 000004
【図３】
2005223484.tif 000005